(57)【要約】  【課題】各色のずれを縞模様の相違や色の違いで把握することができ、熟練者でなくても容易に色ずれを視認することができる見当合わせマーク及び該見当合わせマークが印刷された印刷物を提供すること。    【解決手段】多色印刷物の色合わせに使用する印刷用見当合わせマークにおいて、印刷で使用する多色のうちの任意の第１の色を複数の線によって縞状に印刷された第１縞状印刷部と、前記第１の色と異なる任意の単色からなり縞状に印刷された第２縞状印刷部と、を有して成り、前記第１縞状印刷部と前記第２縞状印刷部が重ねて印刷されていることを特徴とするものとした。【選択図】図７
2011020338.tif 000002
【特許請求の範囲】
【請求項１】
多色印刷物の色合わせに使用する印刷用見当合わせマークにおいて、
印刷で使用する多色のうちの任意の第１の色からなる複数の直線によって縞状に印刷された第１縞状印刷部と、
前記第１の色と異なる任意の単色からなる複数の直線によって縞状に印刷された第２縞状印刷部と、を有して成り、
前記第１縞状印刷部と前記第２縞状印刷部が重ねて印刷されていることを特徴とする印刷用見当合わせマーク。
【請求項２】
前記第１縞状印刷部、前記第２縞状印刷部の縞模様の幅が異なることを特徴とする請求項１記載の印刷用見当合わせマーク。
【請求項３】
さらに、前記第１縞状印刷部と前記第２縞状印刷部を構成する線の色と異なる色からなる複数の直線によって縞状に印刷された追加縞状印刷部が１又は２以上印刷されていることを特徴とする請求項１又は２に記載の印刷用見当合わせマーク。
【請求項４】
請求項１から３のいずれか１項に記載の印刷用見当合わせマークと、前記印刷用見当合わせマークに対して前記第１縞状印刷部と前記第２縞状印刷部との色の組み合わせが異なる色の組み合わせからなる１又は２以上の印刷用見当合わせマークと、を備えていることを特徴とする多色印刷物。
【請求項５】
請求項１から３のいずれか１項に記載の印刷用見当合わせマークと、前記印刷用見当合わせマークに対して縞の方向が異なる１又は２以上の印刷用見当合わせマークを備えていることを特徴とする多色印刷物。
【請求項６】
請求項１から３のいずれか１項に記載の印刷用見当合わせマークと、前記印刷用見当合わせマークに対して前記第１縞状印刷部と前記第２縞状印刷部との色の組み合わせが異なる色の組み合わせからなる１又は２以上の印刷用見当合わせマークと、
前記印刷用見当合わせマークに対して縞の方向が異なる１又は２以上の印刷用見当合わせマークと、を備えていることを特徴とする多色印刷物。
【発明の詳細な説明】
【技術分野】
【０００１】
本発明は、オフセット、グラビア印刷等の多色印刷における各分色の見当を合わせるための印刷用見当合わせマーク及び該印刷用見当合わせマークを印刷した多色印刷物に関する。
【背景技術】
【０００２】
従来、オフセット印刷、グラビア印刷等の多色印刷物の見当合わせを行うための見当合わせマークとしては、十字トンボと呼ばれる十字マークを印刷物の端縁の余白部分に付されているものがある。この十字トンボは、多色印刷物の十字トンボの各分色の重なり具合をルーペで確認して、ずれ方向、ずれ程度を認識し、各分色の位置を調整するものである。
【０００３】
しかしながら、この十字トンボは、複数の分色が重なっている場合にどの色がずれているのかルーペで確認しなければ判断することができない。また、ルーペを使用した場合であっても分色数が多い場合は、ズレの程度や方向の判断が困難だったりするという問題点があった。
【０００４】
係る問題点を解決するものとして、多色印刷におけるｎ種の分色印刷物の端縁余白部に施され、各分色印刷物の見当を確認して合わせるための見当合わせマークであって、第１分色印刷物のマークは、４角部を頂点とし、その対峙する２頂点が印刷の流れ方向と平行で、他の２頂点が印刷の流れ方向と垂直である菱形状でなり、該４頂点より所定の長さで放射状に延びる基準線を有し、第２の第ｎ分色印刷物のマークは、前記第１分色印刷物のマークと相似形で、該第２から第ｎ分色印刷物のマークのそれぞれの前の分色印刷物即ち第１から第ｎ−１分色印刷物のマークの基準線の先端に第２から第ｎ分色印刷物のマークの各頂点が一致するように印刷されてなることを特徴とするものがある（特許文献１）。
【０００５】
係る見当合わせマークによれば、中心点を共通にし、各頂点が所定の長さの基準点に相当する間隔をもった大きさの異なる菱形状になるので、どの色がどれだけずれているかが目視で容易に判断ができ、それに従ったずれの修正が、迅速かつ確実にできるという効果を有する。
【０００６】
しかしながら、係る見当合わせマークは、各色のずれを菱形の形状のくずれ等で確認するものである。従って、結局、線の位置ずれを把握しなければならないため十字トンボと比較すれば容易にずれを確認できるものの、微細なずれは相当の熟練者が確認するか、ルーペ等で確認しなければ判断することができない。また、色のずれが確認できたとしても実際の印刷物の色がどの程度変化しているのかを確認することはできない。さらに、上記印刷物は、初期ロットの状態で完全な菱形形状であることが前提条件となる。しかし、実際には、テスト印刷の結果、依頼者から最終的に量産許可を頂いた印刷物の見当合わせマークが完全に菱形であることは、ほとんどないといった問題点があった。
【先行技術文献】
【特許文献】
【０００７】
【特許文献１】特開２００３−９４６１１
【発明の概要】
【発明が解決しようとする課題】
【０００８】
本発明は、上述した従来技術における問題点の解決を課題として検討した結果なされたものであり、その目的とするところは、各色のずれを線のずれではなく、色の違いや縞模様の相違で即時に把握することができ、熟練者でなくても容易に色ずれを視認できる見当合わせマーク及び該見当合わせマークが印刷された多色印刷物を提供することにある。
【課題を解決するための手段】
【０００９】
以上のような課題を解決するために、本発明が採った手段は以下の通りである。
【００１０】
本発明に係る印刷用見当合わせマークは、多色印刷物の色合わせに使用する印刷用見当合わせマークにおいて、印刷で使用する多色のうちの任意の第１の色からなる複数の直線によって縞状に印刷された第１縞状印刷部と、前記第１の色と異なる任意の単色からなる複数の直線によって縞状に印刷された第２縞状印刷部と、を有して成り、前記第１縞状印刷部と前記第２縞状印刷部が重ねて印刷されていることを特徴とするものである。
【００１１】
係る印刷用見当合わせマークによれば、第１の色による第１縞状印刷部と、第１の色と異なる色からなる第２縞状印刷部とからなる縞状のものを重ねると、これらの縞状印刷部の重なり具合（ずれ具合）によって、視認される色が異なることになる。従って、視認される色の違いを確認すれば、実際の線のずれを確認することなく、各色がずれているか否かを認識することができる。色の違いを比較するだけであるので、熟練者でなくても直ちに色ずれを容易に認識することができる。また、第１縞状印刷部と第２縞状印刷部との色の組み合わせによって、どの色とどの色とがずれているのかが有る程度認識できる。
【００１２】
さらに、本発明に係る印刷用見当合わせマークは、厳密に初期ロットの状態で第１縞状印刷部と第２縞状印刷部との縞模様を完全一致させる必要はなく、テスト印刷の後、品質確認がされ、量産のための基準印刷物に表された色見当合わせマークの状態を基準色として設定すればよい。つまり、基準となる印刷用見当合わせマークは、どのような色に視認されてもよいのである。本発明は、この基準色の印刷用見当合わせマークの色と後の印刷用見当合わせマークとの変化を確認するものである。実際に正確にどの色がどれだけずれたのかは、トンボ等で確認すればよい。あくまで、本発明は、色の変化によって基準色から変化していることを直ちに認識することが第１目的である。
【００１３】
また、本発明に係る印刷用見当合わせマークとしては、前記第１縞状印刷部、前記第２縞状印刷部の縞模様の幅が異なるものであってもよい。
【００１４】
係る構成を採用することによって、第１縞状印刷部と第２縞状印刷部がずれた場合に、全体に縞状印刷部の複数の線による大きな縞状の濃淡が認識できる（例えば、図４参照）。この大きな縞の形成具合の変化を確認することによっても各色のずれを認識することができる。尚、縞状印刷部の縞の幅は、一定の幅である必要はなく、幅広と幅狭が混合した縞模様であってもよい。
【００１５】
さらに、本発明に係る印刷用見当合わせマークとしては、さらに、前記第１縞状印刷部と前記第２縞状印刷部を構成する線の色と異なる色からなる複数の直線によって縞状に印刷された追加の縞状印刷部が１又は２以上印刷されていてもよい。
【００１６】
係る構成を採用することによって、各色から任意に抽出した３色以上の縞状印刷部の印刷用見当合わせマークとすることができる、よって、その組み合わせによって、印刷用見当合わせマークの組み合わせによって、どの色の重なり具合のところがどの程度変化しているかを認識し易くなる。
【００１７】
一方、本発明に係る多色印刷物は、前述した印刷用見当合わせマークと、前記印刷用見当合わせマークに対して前記第１縞状印刷部と前記第２縞状印刷部との色の組み合わせが異なる色の組み合わせからなる１又は２以上の印刷用見当合わせマークを備えているものである。
【００１８】
係る構成を採用することによって、異なる色の組み合わせによる印刷用見当合わせマークを２以上備えているので、それぞれ色の組み合わせの異なる複数の印刷用見当合わせマークを比較することにより、どの色がずれているのか認識し易くなるとともに、どの組み合わせの色が大きく変更されているかが容易に認識することができる。
【００１９】
さらに、本発明による多色印刷物は、前述した印刷用見当合わせマークと、前記印刷用見当合わせマークに対して縞の方向が異なる１又は２以上の印刷用見当合わせマークを備えている。
【００２０】
係る構成を採用することによって、どの色がどの方向にずれているのかを判別し易くなる。例えば、縦縞模様の印刷用見当合わせマークと横縞模様の印刷用見当合わせマークを併設して印刷すれば、いずれの印刷用見当合わせマークの色が大きく変化しているかを比較することによって、どの色がどの方向にずれているのかを判別することができる。
【００２１】
さらに、本発明による多色印刷物は、前述した印刷用見当合わせマークと、前記印刷用見当合わせマークに対して前記第１縞状印刷部と前記第２縞状印刷部との色の組み合わせが異なる色の組み合わせからなる１又は２以上の印刷用見当合わせマークと、
前記印刷用見当合わせマークに対して縞の方向が異なる１又は２以上の印刷用見当合わせマークと、を備えている。
【００２２】
係る構成を採用することによって、異なる色の組み合わせによる印刷用見当合わせマークを１又は２以上備えているので、それぞれの印刷用見当合わせマークを比較することにより、どの色がずれているのか認識し易くなり、どの組み合わせの色が大きく変更されているかが容易に認識することができることに加え、どの色がどの方向にずれているのかを判別し易くなる。
【発明の効果】
【００２３】
本発明に係る印刷用見当合わせマーク及び該印刷用見当合わせマークが印刷された多色印刷物によれば、各色のずれを縞模様の相違や色の違いで把握できる印刷見当用マークを提供するとともに、熟練者でなくても容易に色ずれを視認することができる多色印刷物を提供することができる。
【図面の簡単な説明】
【００２４】
【図１】図１には、本発明の第１実施形態に係る印刷用見当合わせマークが図示されている。
【図２】図２には、本発明の第１実施形態に係る印刷用見当合わせマークが図１の状態からずれた状態を示している。
【図３】図３には、本発明の第１実施形態に係る印刷用見当合わせマークの一部拡大図が示されている。
【図４】図４には、本発明の第１実施形態に係る印刷用見当合わせマークの変形例が示されている。
【図５】図５には、本発明の第２実施形態に係る印刷用見当合わせマークが図示されている。
【図６】図６には、本発明の第３実施形態に係る多色印刷物が図示されている。
【図７】図７には、本発明の第３実施形態に係る多色印刷物の印刷用見当マークの拡大図が示されている。
【発明を実施するための形態】
【００２５】
以下、本発明の実施形態について、図面に沿って詳細に説明する。なお、以下に説明する実施形態及び図面は、本発明の実施形態の一部を例示するものであり、これらの構成に限定する目的に使用されるものではない。なお、各図において対応する構成要素には同一の符号が付されている。
【００２６】
（第１実施形態）
第１実施形態の印刷用見当合わせマーク１００は、図１に示すように、複数の線を平行に縞状に印刷したブラックの第１縞状印刷部１０と、複数の線を平行に縞状に印刷したブラック以外の色（例えば、イエロー、マゼンダ、シアンのいずれか。以下の第１実施形態ではイエローを使用したものとして説明する。）の第２縞状印刷部２０と、が印刷されている。
【００２７】
この第１縞状印刷部１０及び第２縞状印刷部２０は、ほぼ同一部位に同一方向に印刷されて印刷用見当合わせマーク１００をなしている。完全に同一位置に印刷されれば、ブラックとイエローが重なった色の縞模様のみが視認されることになる。しかし、完全に縞状印刷部同士が一致した状態で印刷されることはまれであり、実際には、図２に示すようにブラックの線とイエローの線がずれて印刷される。このずれの状態によって、重なった部分はブラックとイエローの重なった色（１０＋２０）の色が認識される。この重なった部分の範囲の大きさ、重なっていない部分の範囲の大きさによって、認識される色が異なることになる。例えば、ずれが大きければ第１縞状印刷部１０と第２縞状印刷部２０の色が大きく出て、イエロー色が強くなり、全体が黄色っぽく視認されることになる。ずれが小さく、重なり具合が大きければ重なった色の範囲が大きくなるため全体が黒っぽく見えることになる。このようにして、図１と図３での比較で表されるように、各色のずれ具合によって、印刷用見当合わせマーク１００の視認される色が異なることになる。よって、印刷用見当合わせマーク１００の色の変化具合を確認すれば、色ずれを確認することができる。このように、本実施形態における印刷用見当合わせマーク１００は、初期状態においては第１縞状印刷部１０と第２縞状印刷部２０との印刷状態（必ずしも一致する必要はない。）で視認される色を基準として、印刷機で印刷される印刷用見当合わせマークとの色を比較することにより、色ずれを認識するものである。よって、肉眼で直ちにいずれかの色がずれたことを認識することができる。従って、印刷ずれがおきた場合には直ちに印刷機を止めることができる。
【００２８】
さらに、それぞれ第１縞状印刷部１０と第２縞状印刷部２０とのそれぞれの縞の幅を異なる幅に設ければ、重なり具合が各縞を構成する線によって順次変更され、図４に示すように、印刷用見当合わせマーク１００全体にぼんやりした濃淡の縞状５０が形成される。印刷ずれが発生すると、この濃淡が変化するので、濃淡５０によっても各色のずれの状態を確認することができる。
【００２９】
なお、上記第１実施形態においては、第１縞状印刷部１０として印刷される色にブラックを選択したが、これに限定されるものではなく、多色印刷に使用される分色のいずれの色（例えば、シアン、マゼンダ）を用いてもよい。また、第１縞状印刷部１０と第２縞状印刷部２０の組み合わせの色も多色印刷に使用される色から任意に選択して自在に組み合わせてよい。
【００３０】
また、上記第１実施形態においては、第１縞状印刷部１０と第２縞状印刷部１０を横縞に印刷しているが、縞の方向は限定するものではなく、縦縞でもよいし、斜めの縞であっても構わない。
【００３１】
（第２実施形態）
第２実施形態の印刷用見当合わせマーク１００は、図５に示すように、ブラックからなる第１縞状印刷部と１０、イエローからなる第２縞状印刷部２０と、シアンの複数の線を平行に縞状に印刷した第１追加の縞状印刷部３０と、マゼンダの複数の線を平行に縞状に印刷した第２追加の縞状印刷部４０と、を備えている。
【００３２】
この縞状印刷部１０、２０、３０、４０は、ほぼ同一部位に同一方向に印刷されて印刷用見当合わせマーク１００をなしている。この第２実施形態における印刷用見当合わせマーク１００は、第１実施形態の印刷用見当合わせマークが２色の縞状印刷部を重ねて印刷したものであるのに対し、４色の縞状印刷部を重ねて印刷した点が異なる。
【００３３】
このように４色の縞状印刷部を印刷した印刷用見当合わせマークとすれば、４色の重なり具合における色の違いがどのように変化したかを容易に確認することができる。
【００３４】
なお、上記第２実施形態においては、印刷用見当合わせマーク１００として、第１縞状印刷部としてブラックを、第２縞状印刷部としてイエローを、第１追加の縞状印刷部としてシアンを、第２追加の縞状印刷部としてマゼンダを選択したが、これに限定されるものではなく。第２追加の縞状印刷部を削除して３色の縞状印刷部を重ね合わせたものでもよいし、５色刷りの多色印刷であれば、５つの色の縞状印刷部を重ねて印刷してもよい。
【００３５】
また、第１実施形態におけるのと同様に、縞の方向は限定するものではない。
【００３６】
（第３実施形態）
以上のように構成される印刷用見当合わせマーク１００は、図６に示されるように、いわゆる従来の十字トンボとともに、又は十字トンボに代えて印刷物の外縁に印刷されて、印刷用見当合わせマーク１００を備えた多色印刷物２００をなす。
【００３７】
第３実施形態における多色印刷物２００は、４色からなる多色印刷物２００であり、図７に示すように、４つの横縞の印刷用見当合わせマーク１００Ａと４つの縦縞の印刷用見当合わせマーク１００Ｂとからなる。横縞の印刷用見当合わせマーク１００Ａは、ブラックとイエロー、ブラックとマゼンダ、ブラックとシアンの２色の組み合わせからなる３つの印刷用見当合わせマーク１００ａ、１００ｂ、１００ｃと、ブラック、イエロー、マゼンダ及びシアンの４色の組み合わせからなる１つの印刷用見当合わせマーク１００ｄとからなる。
【００３８】
一方、縦縞の印刷用見当合わせマーク１００Ｂも同様に、ブラックとイエロー、ブラックとマゼンダ、ブラックとシアンの２色の組み合わせからなる３つの印刷用見当合わせマーク１００ｅ、１００ｆ、１００ｇと、ブラック、イエロー、マゼンダ及びシアンの４色の組み合わせからなる１つの印刷用見当合わせマーク１００ｈとからなっている。なお、図７においては、視認性容易のため、１本の線で表しているが実際には複数の縞状印刷部が重ねられている。
【００３９】
このような印刷用見当合わせマーク１００は、テスト刷りにおいて色合わせをした多色印刷物に表された印刷用見当合わせマーク１００を基準として設定する。この状態で、必ずしも各印刷用見当合わせマーク１００の縞模様は一致している必要はない。あくまで、クライアントとの間で承認された多色印刷物２００に表された状態の印刷用見当合わせマーク１００の色が標準として採用されることになる。そして、後の量産される多色印刷物２００の印刷用見当合わせマーク１００の色と比較することになる。よって、従来のトンボのようにテスト印刷を終了した後、各色の十字が完全に一致して刷り重ねるように調整を行う必要がない。
【００４０】
このような印刷用見当合わせマーク１００が印刷された多色印刷物２００によれば、ブラック、イエロー、マゼンダ、シアンのいずれの色がずれた場合においても、前記いずれかの印刷用見当合わせマーク１００の色が変化するため、その色の変化を確認することで、どの色がどの程度ずれたのかを確認することができる。
【００４１】
なお、上記第３実施形態においては、４つの縦縞の印刷用見当合わせマークと４つの横縞の印刷用見当合わせマークとからなるものであるが、これに限定されるものではなく、さらに異なる組み合わせの印刷用見当合わせマークを追加しても構わないし、これより少なくても構わない。また、縦縞と横縞の印刷用見当合わせマークを用いたが、斜めの縞の見当合わせマークを追加しても構わない。
【産業上の利用可能性】
【００４２】
本発明は、多色印刷物の各色の印刷ずれを検出する際に利用可能である。
【符号の説明】
【００４３】
１０…第１縞状印刷部、２０…第２縞状印刷部、３０…第１追加の縞状印刷部、４０…第２追加の縞状印刷部、１００…印刷用見当合わせマーク、２００…多色印刷物
【図５】
2011020338.tif 000003
【図６】
2011020338.tif 000004
【図７】
2011020338.tif 000005
【図１】
2011020338.tif 000006
【図２】
2011020338.tif 000007
【図３】
2011020338.tif 000008
【図４】
2011020338.tif 000009